(57)【要約】【課題】有効な電圧を有する電池が無い機器で外部電力の供給が切断した場合でも異常終了を確実に発生させないようにすることが可能になる電力供給システム、電子機器、及び電力供給方法を提供する。【解決手段】電子機器１０内の第１の電池１２からの内部電力よりも外部電力を優先して出力する第１の給電部１１と、接続機器２０内の第２の電池２２からの内部電力よりも外部電力を優先して出力する第２の給電部２１と、第１の給電部１１への外部電力給電経路Ｌ１と第２の給電部２１への外部電力給電経路Ｌ２とを接続する外部電力給電接続部（外部電力給電接続経路Ｌ３）と、第１の給電部１１及び第２の給電部２１のうち一方を選択する選択部１３と、第１の給電部１１及び第２の給電部２１のうち内部電力を受け付けている給電部を選択部１３に選択させる制御部１５と、を備える。【選択図】図１
2019180238.tif 000002
【特許請求の範囲】
【請求項１】
電子機器と前記電子機器に接続自在な接続機器とを含む電力供給システムであって、
前記電子機器に設けられ、前記電子機器内の第１の電池からの内部電力を受け付け可能且つ外部電力を受け付け可能であり、前記第１の電池からの内部電力よりも前記外部電力を優先して出力する第１の給電部と、
前記接続機器に設けられ、前記接続機器内の第２の電池からの内部電力を受け付け可能且つ前記外部電力を受け付け可能であり、前記第２の電池からの内部電力よりも前記外部電力を優先して出力する第２の給電部と、
前記第１の給電部への前記外部電力の給電経路と前記第２の給電部への前記外部電力の給電経路とを接続する外部電力給電接続部と、
前記第１の給電部及び前記第２の給電部のうち一方を前記電子機器の使用電力の供給元として選択する選択部と、
前記第１の給電部及び前記第２の給電部のうち内部電力を受け付けている給電部を前記選択部に選択させる制御部と、
を備える電力供給システム。
【請求項２】
前記第１の給電部は、前記第１の電池からの内部電力及び前記外部電力のうち電圧が高い方を優先して前記選択部に対して出力し、
前記第２の給電部は、前記第２の電池の内部電力及び前記外部電力のうち電圧が高い方を優先して前記選択部に対して出力する、
請求項１に記載の電力供給システム。
【請求項３】
前記制御部は、有効な電圧である前記第１の電池及び前記第２の電池の有無を判定する判定部を有し、前記判定部による前記判定の結果に基づいて前記選択部に前記選択の指示を与える、
請求項１または２に記載の電力供給システム。
【請求項４】
前記制御部は、前記第１の電池及び前記第２の電池の両方が前記有効な電圧である状態において、前記第１の給電部及び前記第２の給電部のうち予め設定された給電部を前記選択部に選択させる、
請求項３に記載の電力供給システム。
【請求項５】
前記制御部は、前記第１の電池及び前記第２の電池のうち一方が前記有効な電圧である状態において、前記第１の給電部及び前記第２の給電部のうち前記有効な電圧である電池に接続された前記給電部を前記選択部に選択させる、
請求項３または４に記載の電力供給システム。
【請求項６】
前記電子機器及び前記接続機器のそれぞれに、前記外部電力を外部電源から入力可能な外部電力入力端子が設けられており、
前記第１の給電部は、前記電子機器に設けられた前記外部電力入力端子に接続され、
前記第２の給電部は、前記接続機器に設けられた前記外部電力入力端子に接続されている、
請求項１から５のうちいずれか一項に記載の電力供給システム。
【請求項７】
前記電子機器及び前記接続機器のうち一方に、前記外部電力を外部電源から入力可能な外部電力入力端子が設けられており、
前記第１の給電部及び前記第２の給電部のうち一方が前記外部電力給電接続部を介して前記外部電力入力端子に接続され且つ他方が前記外部電力給電接続部を介さないで前記外部電力入力端子に接続されている、
請求項１から５のうちいずれか一項に記載の電力供給システム。
【請求項８】
前記電子機器の前記外部電力入力端子に接続された外部電源及び前記接続機器の前記外部電力入力端子に接続された外部電源のうち一方の外部電源から他方の外部電源への電流の流入を阻止する逆流防止回路を備える、
請求項６に記載の電力供給システム。
【請求項９】
前記第１の給電部の出力及び前記第２の給電部の出力を受け付け、前記制御部に電力を供給する電源オア回路を備える、
請求項１から８のうちいずれか一項に記載の電力供給システム。
【請求項１０】
接続機器を接続自在な電子機器であって、
前記電子機器内の第１の電池からの内部電力を受け付け可能且つ外部電力を受け付け可能であり前記第１の電池からの内部電力よりも前記外部電力を優先して出力する第１の給電部と、
前記接続機器に設けられた第２の給電部であって前記接続機器内の第２の電池からの内部電力を受け付け可能且つ前記外部電力を受け付け可能であり前記第２の電池からの内部電力よりも前記外部電力を優先して出力する前記第２の給電部と接続された接続機器電力入力端子と、
前記第１の給電部への前記外部電力の給電経路と前記第２の給電部への前記外部電力の給電経路とを接続する外部電力給電接続部と、
前記第１の給電部及び前記第２の給電部のうち一方を前記電子機器の使用電力の供給元として選択する選択部と、
前記第１の給電部及び前記第２の給電部のうち内部電力を受け付けている給電部を前記選択部に選択させる制御部と、
を備える電子機器。
【請求項１１】
電子機器に設けられ、前記電子機器内の第１の電池からの内部電力を受け付け可能且つ外部電力を受け付け可能であり、前記第１の電池からの内部電力よりも前記外部電力を優先して出力する第１の給電部と、前記電子機器に接続自在な接続機器に設けられ、前記接続機器内の第２の電池からの内部電力を受け付け可能且つ前記外部電力を受け付け可能であり、前記第２の電池からの内部電力よりも前記外部電力を優先して出力する第２の給電部とを用いて、前記電子機器に電力を供給する電力供給方法であって、
前記第１の給電部への前記外部電力の給電経路と前記第２の給電部への前記外部電力の給電経路とを接続し、
前記第１の給電部及び前記第２の給電部のうち内部電力を受け付けている給電部を前記電子機器の使用電力の供給元として選択する、
電力供給方法。
【発明の詳細な説明】
【技術分野】
【０００１】
本発明は、有効な電圧を有する電池が無い機器で外部電力の供給が切断した場合でも、異常終了を確実に発生させないようにすることが可能になる電力供給システム、電子機器、及び電力供給方法に関する。
【背景技術】
【０００２】
従来、電子機器の内部の電池からの電力よりも電子機器の外部のＡＣ（alternating current）アダプタからの電力を優先する技術が知られている（特許文献１、２を参照）。
【０００３】
特許文献３には、データ通信ラインと電源供給ラインとを有するケーブルで二つの電子機器を接続して、データ通信ラインを介した相手の電子機器との通信で相手の電子機器の電源状況を判断し、且つ自機の電源状況についても判断し、一方の電子機器のみにＡＣアダプタが接続されている場合には、その一方の電子機器から他方の電子機器に対し電源供給ラインを介してＡＣアダプタからの電力を供給することが、開示されている。
【先行技術文献】
【特許文献】
【０００４】
【特許文献１】特開平６−３１１６７１号公報
【特許文献２】特開平９−３０８１２９号公報
【特許文献３】特開２００３−２９８８５号公報
【発明の概要】
【発明が解決しようとする課題】
【０００５】
二つの機器が機器間で電力供給可能に接続された構成において、有効な電圧を有する電池が無い一方の機器からＡＣアダプタのケーブルが抜かれた場合、図１２に示すようにＡＣアダプタからの給電電圧Ｖｉｎが瞬時に許容電圧（例えば電池の終止電圧ＶＦ）未満に降下してしまうため、他方の機器内の電池が有効な電圧を有していても一方の機器が異常終了してしまうという問題がある。尚、図１２において、横軸は時間ｔであり、縦軸はＡＣアダプタからの給電電圧Ｖｉｎであり、電圧ＶＥはＡＣアダプタの電圧であり、時刻ｔＥはケーブルの抜去時であり、時刻ｔＦは電圧Ｖｉｎが電池の終止電圧ＶＦまで低下した時刻である。
【０００６】
特許文献１、２は、二つの機器間で電力を供給することに関する記載が無い。
【０００７】
特許文献３に記載された技術を用いても、有効な電圧を有する電池が無い一方の電子機器からＡＣアダプタのケーブルが抜かれた場合、ＡＣアダプタからの電力供給が瞬時に切断してしまうため、他方の電子機器内の電池の電力への電力供給の切り替えが遅いと、異常終了が発生してしまう可能性がある。
【０００８】
本発明はこのような事情に鑑みてなされたもので、有効な電圧を有する電池が無い機器で外部電力の供給が切断した場合でも、異常終了を確実に発生させないようにすることが可能になる電力供給システム、電子機器、及び電力供給方法を提供することを目的とする。
【課題を解決するための手段】
【０００９】
上述した目的を達成するため、本発明の第１の態様に係る電力供給システムは、電子機器と電子機器に接続自在な接続機器とを含む電力供給システムであって、電子機器に設けられ、電子機器内の第１の電池からの内部電力を受け付け可能且つ外部電力を受け付け可能であり、第１の電池からの内部電力よりも外部電力を優先して出力する第１の給電部と、接続機器に設けられ、接続機器内の第２の電池からの内部電力を受け付け可能且つ外部電力を受け付け可能であり、第２の電池からの内部電力よりも外部電力を優先して出力する第２の給電部と、第１の給電部への外部電力の給電経路と第２の給電部への外部電力の給電経路とを接続する外部電力給電接続部と、第１の給電部及び第２の給電部のうち一方を電子機器の使用電力の供給元として選択する選択部と、第１の給電部及び第２の給電部のうち内部電力を受け付けている給電部を選択部に選択させる制御部と、を備える。
【００１０】
本態様によれば、電子機器及び接続機器のうち外部電力を受け付けた一方の機器に有効な電圧の電池が無くても他方の機器に有効な電圧の電池が有る場合、外部電力給電接続部を介して一方の機器から他方の機器の給電部に外部電力が送られ且つ選択部により他方の機器の給電部が選択されるので、一方の機器に対する外部電力が切断されても、その切断された外部電力から他方の機器の内部電力に瞬時に切り替わることになる。つまり、有効な電圧を有する電池が無い機器で外部電力の供給が切断した場合でも、異常終了を確実に発生させないようにすることが可能になる。
【００１１】
本発明の第２の態様に係る電力供給システムでは、第１の給電部は、第１の電池からの内部電力及び外部電力のうち電圧が高い方を優先して選択部に対して出力し、第２の給電部は、第２の電池の内部電力及び外部電力のうち電圧が高い方を優先して選択部に対して出力する。
【００１２】
本発明の第３の態様に係る電力供給システムでは、制御部は、有効な電圧である第１の電池及び第２の電池の有無を判定する判定部を有し、判定部による判定の結果に基づいて選択部に選択の指示を与える。
【００１３】
本発明の第４の態様に係る電力供給システムでは、制御部は、第１の電池及び第２の電池の両方が有効な電圧である状態において、第１の給電部及び第２の給電部のうち予め設定された給電部を選択部に選択させる。
【００１４】
本発明の第５の態様に係る電力供給システムでは、制御部は、第１の電池及び第２の電池のうち一方が有効な電圧である状態において、第１の給電部及び第２の給電部のうち有効な電圧である電池に接続された給電部を選択部に選択させる。
【００１５】
本発明の第６の態様に係る電力供給システムでは、電子機器及び接続機器のそれぞれに、外部電力を外部電源から入力可能な外部電力入力端子が設けられており、第１の給電部は、電子機器に設けられた外部電力入力端子に接続され、第２の給電部は、接続機器に設けられた外部電力入力端子に接続されている。
【００１６】
本発明の第７の態様に係る電力供給システムでは、電子機器及び接続機器のうち一方に、外部電力を外部電源から入力可能な外部電力入力端子が設けられており、第１の給電部及び第２の給電部のうち一方が外部電力給電接続部を介して外部電力入力端子に接続され且つ他方が外部電力給電接続部を介さないで外部電力入力端子に接続されている。
【００１７】
本発明の第８の態様に係る電力供給システムでは、電子機器の外部電力入力端子に接続された外部電源及び接続機器の外部電力入力端子に接続された外部電源のうち一方の外部電源から他方の外部電源への電流の流入を阻止する逆流防止回路を備える。
【００１８】
本発明の第９の態様に係る電力供給システムでは、第１の給電部の出力及び第２の給電部の出力を受け付け、制御部に電力を供給する電源オア回路を備える。
【００１９】
本発明の第１０の態様に係る電子機器は、接続機器を接続自在な電子機器であって、電子機器内の第１の電池からの内部電力を受け付け可能且つ外部電力を受け付け可能であり第１の電池からの内部電力よりも外部電力を優先して出力する第１の給電部と、接続機器に設けられた第２の給電部であって接続機器内の第２の電池からの内部電力を受け付け可能且つ外部電力を受け付け可能であり第２の電池からの内部電力よりも外部電力を優先して出力する第２の給電部と接続された接続機器電力入力端子と、第１の給電部への外部電力の給電経路と第２の給電部への外部電力の給電経路とを接続する外部電力給電接続部と、第１の給電部及び第２の給電部のうち一方を電子機器の使用電力の供給元として選択する選択部と、第１の給電部及び第２の給電部のうち内部電力を受け付けている給電部を選択部に選択させる制御部と、を備える。
【００２０】
本発明の第１１の態様に係る電力供給方法は、電子機器に設けられ、電子機器内の第１の電池からの内部電力を受け付け可能且つ外部電力を受け付け可能であり、第１の電池からの内部電力よりも外部電力を優先して出力する第１の給電部と、電子機器に接続自在な接続機器に設けられ、接続機器内の第２の電池からの内部電力を受け付け可能且つ外部電力を受け付け可能であり、第２の電池からの内部電力よりも外部電力を優先して出力する第２の給電部とを用いて、電子機器に電力を供給する電力供給方法であって、第１の給電部への外部電力の給電経路と第２の給電部への外部電力の給電経路とを接続し、第１の給電部及び第２の給電部のうち内部電力を受け付けている給電部を電子機器の使用電力の供給元として選択する。
【発明の効果】
【００２１】
本発明によれば、有効な電圧を有する電池が無い機器で外部電力の供給が切断した場合でも、異常終了を確実に発生させないようにすることが可能になる。
【図面の簡単な説明】
【００２２】
【図１】図１は、本発明に係る電力供給システムの基本構成例を示すブロック図である。
【図２】図２は、電子機器のみに外部電源が接続された状態を示すブロック図である。
【図３】図３は、接続機器のみに外部電源が接続された状態を示すブロック図である。
【図４】図４は、電子機器及び接続機器の両方に外部電源が非接続である状態を示すブロック図である。
【図５】図５は、制御部から選択部に対して与える指示の説明に用いる説明図である。
【図６】図６は、図１に示した電力供給システムを適用した電子機器システムの一実施例の要部を示すブロック図である。
【図７】図７は、図６に示した選択回路の一例を示す図である。
【図８】図８は、有効な電圧を有する電池が無い機器で外部電力の供給が切断した場合における選択回路への入力電圧の変化を示す図である。
【図９】図９は、デジタルカメラの全体構成例を示すブロック図である。
【図１０】図１０は、電子機器のみに外部電力入力端子が設けられている場合を示すブロック図である。
【図１１】図１１は、接続機器のみに外部電力入力端子が設けられている場合を示すブロック図である。
【図１２】図１２は、従来の有効な電圧を有する電池が無く外部電力の供給が切断した機器における電圧降下例を示す図である。
【発明を実施するための形態】
【００２３】
以下、添付図面に従って、本発明に係る電力供給システム、電子機器、及び電力供給方法を実施するための形態について説明する。
【００２４】
図１は、本発明に係る電力供給システムの基本構成例を示すブロック図である。
【００２５】
本例の電力供給システムは、電子機器１０と、電子機器１０に接続自在な機器である接続機器２０と、を含んで構成される。
【００２６】
電子機器１０には第１の給電部１１が設けられており、接続機器２０には第２の給電部２１が設けられている。また電子機器１０には、接続機器２０からの電力が入力される端子である接続機器電力入力端子Ｔ６が設けられている。
【００２７】
電子機器１０に設けられた第１の給電部１１は、電子機器１０内の第１の電池１２からの電力（以下「第１の内部電力」という）を受け付け可能、且つ第１の電池１２の有効な電圧よりも高い電圧に対応する外部電源３０からの電力（以下「外部電力」という）を受け付け可能であり、第１の電池１２からの第１の内部電力よりも外部電源３０からの外部電力を優先して出力する。
【００２８】
接続機器２０に設けられた第２の給電部２１は、接続機器２０内の第２の電池２２からの電力（以下「第２の内部電力」という）を受け付け可能、且つ第２の電池２２の有効な電圧よりも高い電圧に対応する外部電源３０からの外部電力を受け付け可能であり、第２の電池２２からの第２の内部電力よりも外部電源３０からの外部電力を優先して出力する。
【００２９】
尚、本明細書において、電力を「受け付け可能」とは、電源（第１の電池、第２の電池、又は外部電源）と有線又は無線により接続されていることをいう。無線接続の場合には、磁界又は電界を用いた送電により、電力が供給される。
【００３０】
本例の電子機器１０は、第１の外部電力入力端子Ｔ１を介して、有線により外部電源３０と接続されている。本例の接続機器２０は、第２の外部電力入力端子Ｔ２を介して、有線により外部電源３０と接続されている。
【００３１】
電子機器１０の第１の外部電力入力端子Ｔ１から第１の給電部１１への外部電力の給電経路（第１の外部電力給電経路Ｌ１）と、接続機器２０の第２の外部電力入力端子Ｔ２から第２の給電部２１への外部電力の給電経路（第２の外部電力給電経路Ｌ２）とは、外部電力給電接続経路Ｌ３（「外部電力給電接続部」の一形態である）により、電気的に接続されている。言い換えると、外部電力給電接続経路Ｌ３により、第１の給電部１１に設けられた外部電力入力用の端子（第１の給電部１１の外部電力入力端子Ｔ１１）と第２の給電部２１に設けられた外部電力入力用の端子（第２の給電部２１の外部電力入力端子Ｔ２１）とが、電気的に接続されているということもできる。尚、本発明は、第１の外部電力給電経路Ｌ１と第２の外部電力給電経路Ｌ２とを、電気的に接続した場合には限定されない。磁気的に接続した場合であってもよい。
【００３２】
本例の電子機器１０は、上述の第１の給電部１１と、上述の第１の電池１２と、第１の給電部１１及び第２の給電部２１のうち一方を電子機器１０の使用電力の供給元として選択する選択部１３と、第１の給電部１１及び第２の給電部２１のうち内部電力を受け付けている給電部を選択部１３に選択させる制御部１５と、を含んで構成される。
【００３３】
制御部１５は、例えばマイクロコンピュータによって構成される。本例の制御部１５は、有効な電圧である第１の電池１２の有無と、有効な電圧である第２の電池２２の有無とを判定する判定部１６を有し、判定部１６による判定の結果に基づいて、第１の給電部１１及び第２の給電部２１のうちから電子機器１０の使用電力の供給元を選択させる選択指示を選択部１３に与える。
【００３４】
図１には第１の給電部１１及び第２の給電部２１の両方に外部電源３０が接続された場合を示したが、実際には、図２及び図３に示すように第１の給電部１１及び第２の給電部２１のうち一方のみに外部電源３０が接続された場合と、図４に示すように第１の給電部１１及び第２の給電部２１の両方に対し外部電源３０が非接続である場合とがある。これらのうち図２に示す状態及び図３に示す状態では、外部電力給電接続経路Ｌ３を介して、電子機器１０及び接続機器２０のうち一方から他方の給電部へ外部電力が送電される。
【００３５】
本例の制御部１５は、選択部１３に対して、図５に示すように選択指示を与える。本例の制御部１５は、第１の条件（電子機器１０に有効な電圧の第１の電池１２が無く、接続機器２０に有効な電圧の第２の電池２２が有り、且つ電子機器１０及び接続機器２０のうち少なくとも一方に接続された外部電源３０が有るという条件である）では、第２の給電部２１を選択部１３に選択させる。また本例の制御部１５は、第２の条件（電子機器１０に有効な電圧の第１の電池１２が有り、接続機器２０に有効な電圧の第２の電池２２が無く、且つ電子機器１０及び接続機器２０のうち少なくとも一方に接続された外部電源３０が有るという条件である）では、第１の給電部１１を選択部１３に選択させる。つまり、制御部１５は、第１の給電部１１及び第２の給電部２１のうち、有効な電圧を有する電池に接続されている給電部（つまり内部電力を受け付けた給電部）を、選択部１３に選択させる。
【００３６】
上述の第１の条件及び第２の条件に該当しない場合、制御部１５は、次のように選択部１３に対して選択指示を与えることができる。
【００３７】
制御部１５は、第１の電池１２及び第２の電池２２の両方が有効な電圧である状態において、第１の給電部１１及び第２の給電部２１のうち予め設定された給電部を選択部１３に選択させることができる。例えば予めプログラムで決められた順番に第１の電池１２及び第２の電池２２の電力を使っていくことができる。ユーザから設定入力された順番に第１の電池１２及び第２の電池２２の電力を使う構成としてもよい。
【００３８】
図１に示した電子機器１０は、次のような構成であるということもできる。本例の電子機器１０は、接続機器２０を接続自在な電子機器であって、電子機器１０内の第１の電池１２からの内部電力を受け付け可能且つ外部電源３０からの外部電力を受け付け可能であり第１の電池１２からの内部電力よりも外部電力を優先して出力する第１の給電部１１と、接続機器２０に設けられた第２の給電部２１であって接続機器２０内の第２の電池２２からの内部電力を受け付け可能且つ外部電源３０からの外部電力を受け付け可能であり第２の電池２２からの内部電力よりも外部電力を優先して出力する第２の給電部２１と接続された接続機器電力入力端子Ｔ６と、第１の給電部１１への外部電力の給電経路（第１の外部電力給電経路Ｌ１）と第２の給電部２１への外部電力の給電経路（第２の外部電力給電経路Ｌ２）と接続する外部電力給電接続経路Ｌ３と、第１の給電部１１及び第２の給電部２１のうち一方を電子機器１０の使用電力の供給元として選択する選択部１３と、第１の給電部１１及び第２の給電部２１のうち内部電力を受け付けている給電部を選択部１３に選択させる制御部１５と、を備える。
【００３９】
次に、図１に示した電力供給システムの具体的な実施例について、説明する。
【００４０】
図６は、図１に示した電力供給システムを適用した電子機器システムの一実施例の要部を示すブロック図である。本例の電子機器システムは、デジタルカメラ５０（「電子機器」の一形態である）と、デジタルカメラ５０に装着自在であるグリップ６０（「接続機器」の一形態である）と、を含んで構成される。グリップ６０は、デジタルカメラ５０を本体として、特定の機能を有する機能ユニットの一種である。デジタルカメラ５０への「装着」は、「接続」の一形態である。
【００４１】
デジタルカメラ５０には、ＡＣアダプタ７０（「外部電源」の一形態である）からの外部電力が入力される第１の外部電力入力端子Ｔ１が設けられている。デジタルカメラ５０に設けられた第１の給電回路５１（「第１の給電部」の一形態である）は、第１の外部電力入力端子Ｔ１に電気的に接続されている。本例の第１の給電回路５１は、ケーブル７０Ｃと第１の外部電力入力端子Ｔ１と後述の逆流防止回路５９と第１の外部電力給電経路Ｌ１とを介して、ＡＣアダプタ７０と電気的に接続可能である。
【００４２】
グリップ６０には、ＡＣアダプタ７０からの外部電力が入力される第２の外部電力入力端子Ｔ２が設けられている。グリップ６０に設けられた第２の給電回路６１（「第２の給電部」の一形態である）は、第２の外部電力入力端子Ｔ２に電気的に接続されている。本例の第２の給電回路６１は、ケーブル７０Ｃと第２の外部電力入力端子Ｔ２と後述の逆流防止回路６９と第２の外部電力給電経路Ｌ２とを介して、ＡＣアダプタ７０と電気的に接続可能である。
【００４３】
尚、図６には第１の給電回路５１及び第２の給電回路６１の両方にＡＣアダプタ７０が接続された場合を示したが、実際には、第１の給電回路５１及び第２の給電回路６１のうち一方のみにＡＣアダプタ７０が接続された場合と、第１の給電回路５１及び第２の給電回路６１の両方に対しＡＣアダプタ７０が非接続である場合とがある。
【００４４】
第１の給電回路５１及び第２の給電回路６１のうち一方のみにＡＣアダプタ７０が接続された場合には、外部電力給電接続経路Ｌ３を介して、一方の給電回路に接続された給電経路から他方の給電回路へＡＣアダプタ７０からの電力（外部電力）が供給される。本例では、デジタルカメラ５０に設けられた通電ゲート５４、外部電力給電接続端子Ｔ６Ｃ、及びグリップ６０に設けられた通電ゲート６４を介して、外部電力が供給される。
【００４５】
デジタルカメラ５０に設けられた第１の給電回路５１は、デジタルカメラ５０内の第１の電池１２と電気的に接続されている。第１の給電回路５１は、第１の電池１２からの内部電力及びＡＣアダプタ７０からの外部電力のうち、電圧が高い方の電力を優先して出力する。グリップ６０に設けられた第２の給電回路６１は、グリップ６０内の第２の電池２２と電気的に接続されている。第２の給電回路６１は、第２の電池２２からの内部電力及びＡＣアダプタ７０からの外部電力のうち、電圧が高い方を優先して出力する。つまり、本例の第１の給電回路５１及び第２の給電回路５２（第１の給電部１１及び第２の給電部２１）はそれぞれ、内部電源（本例では電池）及び外部電源（本例ではＡＣアダプタ）のうち電圧が高い方の電力を出力する。第１の給電回路５１及び第２の給電回路６１は、公知の回路を用いることができる。本例の第１の給電回路５１として、ＡＣアダプタ７０からの外部電力により第１の電池１２を充電することができる充給電回路を用いている。また本例の第２の給電回路６１として、ＡＣアダプタ７０からの外部電力により第２の電池２２を充電することができる充給電回路を用いている。
【００４６】
デジタルカメラ５０に設けられた選択回路５３（「選択部」の一形態である）は、第１の給電回路５１及び第２の給電回路６１のうち一方を、デジタルカメラ５０の使用電力の供給元として選択する。本例では、第２の給電回路６１の出力は、第１の通電ゲート６３Ａ及び第１の接続機器電力入力端子Ｔ６Ａを介して、選択回路５３に供給される。
【００４７】
デジタルカメラ５０に設けられた本体コントローラ５５（「制御部」の一形態である）は、第１の給電回路５１及び第２の給電回路６１のうち、内部電力（第１の電池１２からの電力又は第２の電池２２からの電力である）を受け付けた給電回路を選択回路５３に選択させる。本体コントローラ５５は、例えばＣＰＵ（central processing unit）によって構成される。
【００４８】
本例の本体コントローラ５５は、デジタルカメラ５０に設けられた第１の電池検知回路５７１及び給電検知回路５７２の検知結果と、グリップ６０に設けられた第２の電池検知回路６７の検知結果とを取得する。本例の本体コントローラ５５は、取得された検知結果に基づいて、選択回路５３に対する選択指示を行う。
【００４９】
デジタルカメラ５０に設けられた第１の電池検知回路５７１は、デジタルカメラ５０内の第１の電池１２の電圧を、ＡＤ(analog to digital)変換を行って検知する。グリップ
６０に設けられた第２の電池検知回路６７は、グリップ６０内の第２の電池２２の電圧を、ＡＤ変換を行って検知する。本例では、グリップコントローラ６５を介して、第２の電池検知回路６７の検知結果が本体コントローラ５５に与えられる。グリップコントローラ６５は、例えばシリアル通信により、本体コントローラ５５に対して検知結果を送信する。グリップコントローラ６５は、例えばＣＰＵ（central processing unit）によって構成される。
【００５０】
デジタルカメラ５０に設けられた給電検知回路５７２は、外部電力給電接続経路Ｌ３の電圧を、ＡＤ変換を行って検知する。
【００５１】
本例の本体コントローラ５５（制御部）は、第１の電池１２及び第２の電池２２の両方が有効な電圧である状態において、第１の給電回路５１（第１の給電部１１）及び第２の給電回路６１（第２の給電部２１）のうち予め設定された給電回路を、選択回路５３（選択部）に選択させる。
【００５２】
本例の本体コントローラ５５（制御部）は、第１の電池１２及び第２の電池２２のうち一方が有効な電圧である状態において、第１の給電回路５１（第１の給電部１１）及び第２の給電回路６１（第２の給電部２１）のうち有効な電圧である電池に接続された給電回路を、選択回路５３に選択させる。
【００５３】
本例では、第１の電池１２の有効な電圧と第２の電池２２の有効な電圧とが等しいが、第１の電池１２の有効な電圧と第２の電池２２の有効な電圧とが異なる場合にも、本発明を適用可能である。ＡＣアダプタ７０の電圧は、第１の電池１２の有効な電圧及び第２の電池２２の有効な電圧よりも高い。
【００５４】
尚、本例の第１の電池１２及び第２の電池２２は充電池（「二次電池」ともいう）であり、「有効な電池電圧を有する電池が無い」とは、その充電池の電圧が機器で使用する場合の許容電圧（有効な電池電圧）に満たないことをいう。
【００５５】
本例のデジタルカメラ５０には、第１の給電回路５１の出力及び第２の給電回路６１の出力を受け付け、第１の給電回路５１の出力及び第２の給電回路６１の出力の論理和を行って、本体コントローラ５５に電力を供給する電源オア回路５８が設けられている。本例では、第２の給電回路６１の出力は、第２の通電ゲート６３Ｂ及び第２の接続機器電力入力端子Ｔ６Ｂを介して、電源オア回路５８に供給される。
【００５６】
デジタルカメラ５０の第１の外部電力入力端子Ｔ１から第１の給電回路５１に至る第１の外部電力給電経路Ｌ１と、グリップ６０の第２の外部電力入力端子Ｔ２から第２の給電回路６１に至る第２の外部電力給電経路Ｌ２には、それぞれ逆流防止回路５９、６９が設けられている。デジタルカメラ５０に設けられた逆流防止回路５９は、デジタルカメラ５０の外部電力入力端子Ｔ１に接続されたＡＣアダプタ７０からグリップ６０の外部電力入力端子Ｔ２に接続されたＡＣアダプタ７０への電流の流入を阻止する。グリップ６０に設けられた逆流防止回路６９は、グリップ６０の外部電力入力端子Ｔ２に接続されたＡＣアダプタ７０からデジタルカメラ５０の外部電力入力端子Ｔ１に接続されたＡＣアダプタ７０への電流の流入を阻止する。
【００５７】
図７は、図６に示した選択回路５３の一例を示す図である。
【００５８】
本例の選択回路５３は、第１の給電回路５１の出力が入力される第１の選択電力入力端子Ｔ３１と、第２の給電回路６１の出力が入力される第２の選択電力入力端子Ｔ３２と、本体コントローラ５５からの指示が入力される指示入力端子Ｔ３３と、第１の給電回路５１及び第２の給電回路６１のうち選択した給電回路からの電力を出力する選択電力出力端子Ｔ３と、第１の選択電力入力端子Ｔ３１に入力される第１の給電回路５１の出力を選択するか否かを切り替える第１のスイッチ素子５３１と、第２の選択電力入力端子Ｔ３２に入力される第２の給電回路６１の出力を選択するか否かを切り替える第２のスイッチ素子５３２と、指示入力端子Ｔ３３に入力される本体コントローラ５５からの指示（選択指示）に基づいて、第１のスイッチ素子５３１及び第２のスイッチ素子５３２に切替指示を出力する切替ＩＣ(integrated circuit)５３３と、を含んで構成される。
【００５９】
本例の本体コントローラ５５は、図５に示した第１の条件では、選択回路５３にグリップ６０の第２の給電回路６１を選択させる指示を、選択回路５３の指示入力端子Ｔ３３に入力する。また本例の本体コントローラ５５は、図５に示した第２の条件では、選択回路５３にデジタルカメラ５０の第１の給電回路５１を選択させる指示を、選択回路５３の指示入力端子Ｔ３３に入力する。選択回路５３の切替ＩＣ５３３は、本体コントローラ５５から指示入力端子Ｔ３３に選択の指示が入力された場合、その指示に応じて、選択回路５３のスイッチ素子５３１、５３２にデジタルカメラ５０（電子機器）の使用電力の供給元を切り替えさせる。
【００６０】
次に、外部電力の供給切断と使用電力の供給元の切り替えとの関係について、説明する。
【００６１】
もしも従来のように外部電力給電接続経路Ｌ３が無く、且つ外部電源が接続されている給電部を優先して選択する構成である場合、デジタルカメラ５０内の第１の電池１２に有効な電圧が無い状態でデジタルカメラ５０からＡＣアダプタ７０のケーブル７０Ｃが抜かれると、図１２に示したようにデジタルカメラ５０の第１の給電回路５１から選択回路５３への給電電圧Ｖｉｎが瞬時に低下してしまうため、デジタルカメラ５０の各部への給電の電圧も瞬時に低下してしまう。
【００６２】
本例では、外部電力給電接続経路Ｌ３が有り、且つ有効な電圧を有する電池が接続されている給電部（つまり内部電力を受け付けている給電部）を優先して選択する構成であるため、デジタルカメラ５０内の第１の電池１２に有効な電圧が無い状態でデジタルカメラ５０からＡＣアダプタ７０のケーブル７０Ｃが抜かれても、図８に示すようにグリップ６０の第２の給電回路６１から選択回路５３への給電電圧Ｖｉｎ２は、ＡＣアダプタ７０の電圧ＶＥから第２の電池２２の電圧Ｖ２（有効な電圧ＶＦ以上である）に変化するだけであり、且つグリップ６０の第２の給電回路６１が予め選択されているため選択回路５３の出力電圧の変化も同様になる。言い換えると、有効な電圧を有する電池が存在すれば選択回路５３の選択電力出力端子Ｔ３の電圧変化を図８に示すようにすることができ、デジタルカメラ５０を確実に異常終了させない。尚、図８において、時刻ｔＥはケーブル７０Ｃの抜去時である。
【００６３】
以上のように、電子機器（本例ではデジタルカメラ５０）内の第１の電池１２の電圧が無効な状態で外部電源（本例ではＡＣアダプタ７０）からの外部電力が切断されても、有効な電圧を有する第２の電池２２と接続された接続機器（本例ではグリップ６０）の第２の給電部（本例では第２の給電回路６１）が予め選択されているため、選択先（電子機器の使用電力の供給元である）の切り替えを行うことなく第２の電池２２からの電力を電子機器の各部へ供給することができる。つまり電子機器の異常終了を発生させないようにすることが可能になる。接続機器（本例ではグリップ６０）内の第２の電池２２の電池電圧が無効な状態で外部電力が切断された場合も、同様に、電子機器の異常終了を確実に発生させないようにすることができる。
【００６４】
図６には、デジタルカメラ５０の電力供給機能に関する要素を示したが、図９（デジタルカメラ５０の全体構成例を示すブロック図）に例示するように、デジタルカメラ５０は電力供給以外の機能を持つ要素を備える。
【００６５】
図９に示すデジタルカメラ５０は、被写体を撮像する撮像部８１と、ユーザの指示入力を受け付ける操作部８２と、ユーザに対して画像を含む各種情報を表示する表示部８３と、画像を外部に出力する画像出力部８４と、デジタルカメラ５０の必要な各部に電力を供給する電力供給部８５と、一時的記憶デバイス及び非一時的記憶デバイスを有する記憶部８６と、記憶部８６の非一時的記憶デバイスに記憶されたプログラムに従ってデジタルカメラ５０の各部を制御するＣＰＵ（central processing unit）８８と、を備える。本例の電力供給部８５は、図６に示した第１の給電回路５１と選択回路５３と電源オア回路５８と逆流防止回路５９とを含んで構成される。図６の本体コントローラ５５は、電力供給部８５に含めてもよいし、ＣＰＵ８８によって構成してもよい。
【００６６】
＜外部電力のバリエーション＞
外部電力のバリエーションについて、説明する。
【００６７】
図６には、機器外のＡＣアダプタ７０から外部電力が供給される場合を例として示したが、このような場合に本発明は限定されない。本発明は、各種の外部電力を用いる場合に、適用することができる。
【００６８】
第１に、本発明は、機器外にＡＣアダプタを設けた場合に限定されず、機器内にＡＣアダプタを設けた場合にも、適用可能である。この場合、ＡＣ電源（交流電源）が外部電源に相当する。機器内の第１の給電部及び接続機器内の第２の給電部のうちの少なくとも一方を、機器内のＡＣアダプタを介して機器外のＡＣ電源と接続した構成であってもよい。
【００６９】
第２に、本発明は、機器が外部電源と有線接続された場合に限定されず、機器が外部電源と無線接続された場合にも、適用可能である。この場合、磁界又は電界を介した送電により、機器内の給電部（第１の給電部及び第２の給電部）に外部電力が供給される構成とすることができる。
【００７０】
第３に、本発明は、外部電源が非電池電源である場合に限定されず、外部電源がいわゆる「電池」と呼ばれる場合にも、適用可能である。この場合、「第１の電池」及び「第２の電池」は機器内の電池（内蔵電池）であり、「外部電源」は機器外の電池である。例えば、機器が車載可能である場合、機器外の車載電池を外部電源として用いてよい。例えば機器が屋内で使用される場合、屋外の太陽電池を外部電源として用いてよい。
【００７１】
＜機器のバリエーション＞
電子機器及び接続機器のバリエーションについて、説明する。
【００７２】
図１には、電子機器１０及び接続機器２０のそれぞれに、外部電源３０からの外部電力を入力可能な外部電力入力端子（第１の外部電力入力端子Ｔ１、第２の外部電力入力端子Ｔ２）が設けられている場合を示したが、このような場合に本発明は限定されない。本発明は、電子機器１０及び接続機器２０のうち一方に、外部電源からの外部電力を入力可能な外部電力入力端子が設けられている場合であってもよい。
【００７３】
図１０は、電子機器１０及び接続機器２０のうち電子機器１０のみに外部電力入力端子Ｔ１が設けられている場合を示す。図１０において、電子機器１０の第１の給電部１１は外部電力給電接続経路Ｌ３を介さないで外部電力入力端子Ｔ１に接続されており、接続機器２０の第２の給電部２１は外部電力給電接続経路Ｌ３を介して外部電力入力端子Ｔ１に接続されている。
【００７４】
図１１は、電子機器１０及び接続機器２０のうち接続機器２０のみに外部電力入力端子Ｔ２が設けられている場合を示す。図１１において、電子機器１０の第１の給電部１１は外部電力給電接続経路Ｌ３を介して外部電力入力端子Ｔ２に接続されており、接続機器２０の第２の給電部２１は外部電力給電接続経路Ｌ３を介さないで外部電力入力端子Ｔ２に接続されている。
【００７５】
また、図１及び図６には、電子機器１０（例えばデジタルカメラ５０）に接続機器２０（例えばグリップ６０）が装着可能である場合を例として示したが、このような場合に本発明は限定されない。本発明は、電子機器と接続機器とをケーブルで有線接続した場合、及び電子機器と接続機器とを無線接続した場合にも、適用することができる。
【００７６】
また、図６には、電子機器１０と接続機器２０の組み合わせとして、デジタルカメラ５０（カメラ本体）及びグリップ６０（外付け機器）を紹介したが、このような場合に本発明は限定されない。本発明は、各種の複数機器の組み合わせに、適用することができる。
【００７７】
以上、本発明を実施するための形態に関して説明してきたが、本発明は上述した実施形態及び変形例に限定されず、本発明の主旨を逸脱しない範囲で種々の変形が可能である。
【符号の説明】
【００７８】
１０  電子機器
１１  第１の給電部
１２  第１の電池
１３  選択部
１５  制御部
１６  判定部
２０  接続機器
２１  第２の給電部
２２  第２の電池
３０  外部電源
５０  デジタルカメラ
５１  第１の給電回路
５３  選択回路
５４  通電ゲート
５５  本体コントローラ
５８  電源オア回路
５９  逆流防止回路
６０  グリップ
６１  第２の給電回路
６３Ａ、６３Ｂ、６４、通電ゲート
６５  グリップコントローラ
６７  第２の電池検知回路
６９  逆流防止回路
７０  ＡＣアダプタ
７０Ｃ  ケーブル
８１  撮像部
８２  操作部
８３  表示部
８４  画像出力部
８５  電力供給部
８６  記憶部
８８  ＣＰＵ
５３１、５３２  スイッチ素子
５７１  第１の電池検知回路
５７２  給電検知回路
５３３  切替ＩＣ
Ｌ１  第１の外部電力給電経路
Ｌ２  第２の外部電力給電経路
Ｌ３  外部電力給電接続経路
Ｔ１  第１の外部電力入力端子
Ｔ２  第２の外部電力入力端子
Ｔ１１  第１の給電部の外部電力入力端子
Ｔ２１  第２の給電部の外部電力入力端子
Ｔ３  選択電力出力端子
Ｔ３１  第１の選択電力入力端子
Ｔ３２  第２の選択電力入力端子
Ｔ３３  指示入力端子
Ｔ６、Ｔ６Ａ、Ｔ６Ｂ  接続機器電力入力端子
Ｔ６Ｃ  外部電力給電接続端子
【図１】
2019180238.tif 000003
【図２】
2019180238.tif 000004
【図３】
2019180238.tif 000005
【図４】
2019180238.tif 000006
【図５】
2019180238.tif 000007
【図６】
2019180238.tif 000008
【図７】
2019180238.tif 000009
【図８】
2019180238.tif 000010
【図９】
2019180238.tif 000011
【図１０】
2019180238.tif 000012
【図１１】
2019180238.tif 000013
【図１２】
2019180238.tif 000014
【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
接続機器を接続自在な電子機器であって、
前記電子機器に設けられ、前記電子機器内の第１電池からの内部電力または外部電力を受け付け可能であり、前記内部電力よりも前記外部電力を優先して出力する第１給電部と、
前記第１給電部への前記外部電力の給電経路と、前記接続機器に設けられ前記接続機器から前記電子機器に給電する第２給電部への前記外部電力の給電経路と、を接続する外部電力給電接続部と、
前記第１給電部及び前記第２給電部のうち一方を前記電子機器の使用電力の供給元として選択する選択部と、
前記第１給電部及び前記第２給電部のうち内部電力を受け付けている給電部を前記選択部に選択させる制御部と、
を備える電子機器。
【請求項２】
前記第１給電部は、前記第１電池からの内部電力及び前記外部電力のうち電圧が高い方を優先して前記選択部に対して出力する、請求項１に記載の電子機器。
【請求項３】
前記制御部は、有効な電圧である前記第１電池の有無を判定する判定部を有し、
前記判定部による前記判定の結果に基づいて前記選択部に前記選択の指示を与える、請求項１または２に記載の電子機器。
【請求項４】
前記制御部は、前記第１電池が前記有効な電圧である状態において、前記第１給電部及び前記第２給電部のうち予め設定された給電部を前記選択部に選択させる、請求項３に記載の電子機器。
【請求項５】
前記電子機器に、前記外部電力を外部電源から入力可能な外部電力入力端子が設けられており、
前記第１給電部は、前記電子機器に設けられた前記外部電力入力端子に接続されている、請求項１から４のうちいずれか一項に記載の電子機器。
【請求項６】
前記電子機器の前記外部電力入力端子に接続された外部電源への電流の流入を阻止する逆流防止回路を備える、請求項５に記載の電子機器。
【請求項７】
前記第１給電部の出力及び前記第２給電部の出力を受け付け、前記制御部に電力を供給する電源オア回路を備える、請求項１から６のうちいずれか一項に記載の電子機器。
【請求項８】
接続機器を接続自在な電子機器であって、
前記電子機器内の第１電池からの内部電力を受け付け可能且つ外部電力を受け付け可能であり前記第１電池からの内部電力よりも前記外部電力を優先して出力する第１給電部と、
前記接続機器に設けられた第２給電部であって前記接続機器内の第２電池からの内部電力を受け付け可能且つ前記外部電力を受け付け可能であり前記第２電池からの内部電力よりも前記外部電力を優先して出力する前記第２給電部と接続された接続機器電力入力端子と、
前記第１給電部への前記外部電力の給電経路と前記第２給電部への前記外部電力の給電経路とを接続する外部電力給電接続部と、
前記第１給電部及び前記第２給電部のうち一方を前記電子機器の使用電力の供給元として選択する選択部と、
前記第１給電部及び前記第２給電部のうち内部電力を受け付けている給電部を前記選択部に選択させる制御部と、
を備える電子機器。
【請求項９】
前記第１給電部は、前記第１電池からの内部電力及び前記外部電力のうち電圧が高い方を優先して前記選択部に対して出力し、
前記第２給電部は、前記第２電池の内部電力及び前記外部電力のうち電圧が高い方を優先して前記選択部に対して出力する、請求項８に記載の電子機器。
【請求項１０】
前記制御部は、有効な電圧である前記第１電池及び前記第２電池の有無を判定する判定部を有し、前記判定部による前記判定の結果に基づいて前記選択部に前記選択の指示を与える、請求項８または９に記載の電子機器。
【請求項１１】
前記制御部は、前記第１電池及び前記第２電池の両方が前記有効な電圧である状態において、前記第１給電部及び前記第２給電部のうち予め設定された給電部を前記選択部に選択させる、請求項１０に記載の電子機器。
【請求項１２】
前記制御部は、前記第１電池及び前記第２電池のうち一方が前記有効な電圧である状態において、前記第１給電部及び前記第２給電部のうち前記有効な電圧である電池に接続された前記給電部を前記選択部に選択させる、請求項１０または１１に記載の電子機器。
【請求項１３】
前記電子機器及び前記接続機器のそれぞれに、前記外部電力を外部電源から入力可能な外部電力入力端子が設けられており、
前記第１給電部は、前記電子機器に設けられた前記外部電力入力端子に接続され、
前記第２給電部は、前記接続機器に設けられた前記外部電力入力端子に接続されている、請求項８から１２のうちいずれか一項に記載の電子機器。
【請求項１４】
前記電子機器及び前記接続機器のうち一方に、前記外部電力を外部電源から入力可能な外部電力入力端子が設けられており、
前記第１給電部及び前記第２給電部のうち一方が前記外部電力給電接続部を介して前記外部電力入力端子に接続され且つ他方が前記外部電力給電接続部を介さないで前記外部電力入力端子に接続されている、請求項８から１３のうちいずれか一項に記載の電子機器。
【請求項１５】
前記電子機器の前記外部電力入力端子に接続された外部電源及び前記接続機器の前記外部電力入力端子に接続された外部電源のうち一方の外部電源から他方の外部電源への電流の流入を阻止する逆流防止回路を備える、請求項１３に記載の電子機器。
【請求項１６】
前記第１給電部の出力及び前記第２給電部の出力を受け付け、前記制御部に電力を供給する電源オア回路を備える、請求項８から１５のうちいずれか一項に記載の電子機器。
【請求項１７】
前記接続機器はバッテリーグリップである請求項１から１６のうちいずれか一項に記載の電子機器であるカメラ。
【請求項１８】
電子機器と前記電子機器に接続自在な接続機器とを含む電力供給システムであって、
前記電子機器に設けられ、前記電子機器内の第１電池からの内部電力を受け付け可能且つ外部電力を受け付け可能であり、前記第１電池からの内部電力よりも前記外部電力を優先して出力する第１給電部と、
前記接続機器に設けられ、前記接続機器内の第２電池からの内部電力を受け付け可能且つ前記外部電力を受け付け可能であり、前記第２電池からの内部電力よりも前記外部電力を優先して出力する第２給電部と、
前記第１給電部への前記外部電力の給電経路と前記第２給電部への前記外部電力の給電経路とを接続する外部電力給電接続部と、
前記第１給電部及び前記第２給電部のうち一方を前記電子機器の使用電力の供給元として選択する選択部と、
前記第１給電部及び前記第２給電部のうち内部電力を受け付けている給電部を前記選択部に選択させる制御部と、
を備える電力供給システム。
【請求項１９】
前記第１給電部は、前記第１電池からの内部電力及び前記外部電力のうち電圧が高い方を優先して前記選択部に対して出力し、
前記第２給電部は、前記第２電池の内部電力及び前記外部電力のうち電圧が高い方を優先して前記選択部に対して出力する、請求項１８に記載の電力供給システム。
【請求項２０】
前記制御部は、有効な電圧である前記第１電池及び前記第２電池の有無を判定する判定部を有し、前記判定部による前記判定の結果に基づいて前記選択部に前記選択の指示を与える、請求項１８または１９に記載の電力供給システム。
【請求項２１】
前記制御部は、前記第１電池及び前記第２電池の両方が前記有効な電圧である状態において、前記第１給電部及び前記第２給電部のうち予め設定された給電部を前記選択部に選択させる、請求項２０に記載の電力供給システム。
【請求項２２】
前記制御部は、前記第１電池及び前記第２電池のうち一方が前記有効な電圧である状態において、前記第１給電部及び前記第２給電部のうち前記有効な電圧である電池に接続された前記給電部を前記選択部に選択させる、請求項２０または２１に記載の電力供給システム。
【請求項２３】
前記電子機器及び前記接続機器のそれぞれに、前記外部電力を外部電源から入力可能な外部電力入力端子が設けられており、
前記第１給電部は、前記電子機器に設けられた前記外部電力入力端子に接続され、
前記第２給電部は、前記接続機器に設けられた前記外部電力入力端子に接続されている、請求項１８から２２のうちいずれか一項に記載の電力供給システム。
【請求項２４】
前記電子機器及び前記接続機器のうち一方に、前記外部電力を外部電源から入力可能な外部電力入力端子が設けられており、
前記第１給電部及び前記第２給電部のうち一方が前記外部電力給電接続部を介して前記外部電力入力端子に接続され且つ他方が前記外部電力給電接続部を介さないで前記外部電力入力端子に接続されている、請求項１８から２３のうちいずれか一項に記載の電力供給システム。
【請求項２５】
前記電子機器の前記外部電力入力端子に接続された外部電源及び前記接続機器の前記外部電力入力端子に接続された外部電源のうち一方の外部電源から他方の外部電源への電流の流入を阻止する逆流防止回路を備える、請求項２３に記載の電力供給システム。
【請求項２６】
前記第１給電部の出力及び前記第２給電部の出力を受け付け、前記制御部に電力を供給する電源オア回路を備える、請求項１８から２５のうちいずれか一項に記載の電力供給システム。
【請求項２７】
電子機器に設けられ、前記電子機器内の第１電池からの内部電力を受け付け可能且つ外部電力を受け付け可能であり、前記第１電池からの内部電力よりも前記外部電力を優先して出力する第１給電部と、前記電子機器に接続自在な接続機器に設けられ、前記接続機器内の第２電池からの内部電力を受け付け可能且つ前記外部電力を受け付け可能であり、前記第２電池からの内部電力よりも前記外部電力を優先して出力する第２給電部と、を用いて前記電子機器に電力を供給する電力供給方法であって、
前記第１給電部への前記外部電力の給電経路と前記第２給電部への前記外部電力の給電経路とを接続し、前記第１給電部及び前記第２給電部のうち内部電力を受け付けている給電部を前記電子機器の使用電力の供給元として選択する、電力供給方法。
【手続補正３】
【補正対象書類名】明細書
【補正対象項目名】０００１
【補正方法】変更
【補正の内容】
【０００１】
本発明は、有効な電圧を有する電池が無い機器で外部電力の供給が切断した場合でも異常終了を確実に発生させないようにすることが可能になる電子機器、カメラ、電力供給システム、及び電力供給方法に関する。
【手続補正４】
【補正対象書類名】明細書
【補正対象項目名】０００８
【補正方法】変更
【補正の内容】
【０００８】
本発明はこのような事情に鑑みてなされたもので、有効な電圧を有する電池が無い機器で外部電力の供給が切断した場合でも、異常終了を確実に発生させないようにすることが可能になる電子機器、カメラ、電力供給システム、及び電力供給方法を提供することを目的とする。
【手続補正５】
【補正対象書類名】明細書
【補正対象項目名】００２３
【補正方法】変更
【補正の内容】
【００２３】
以下、添付図面に従って、本発明に係る電子機器、カメラ、電力供給システム、及び電力供給方法を実施するための形態について説明する。